(57)【特許請求の範囲】
【請求項１】
周面に透光部を有する筒状であって両端に取付部を有する灯具と、前記取付部を取付ける被取付部を有する支持体とを備え、
前記取付部は、板部を有し、開口の幅を内方よりも狭くした切欠穴を前記板部に有するものであり、
前記被取付部は、前記板部に重なる重ね部を有し、前記開口の幅よりも広幅に形成されて前記切欠穴に嵌合可能な突起部を前記重ね部に有し、前記突起部に前記開口の幅よりも狭い細幅部を有し、前記突起部の前記細幅部よりも先端側にナット当たり部を有し、さらに前記開口の幅よりも小さい外径を有して頭部が前記突起部と反対側に位置するように前記重ね部の前記突起部よりも先端寄りの位置に貫通したつまみねじを設け、このつまみねじの先端に螺合された前記切欠穴よりも広幅のナットを設けた照明器具。
【発明の詳細な説明】
【０００１】
【発明の属する技術分野】
この発明は、照明器具に関するものである。
【０００２】
【従来の技術】
従来例を図１７ないし図１９に示す。図１７において、５１は蛍光ランプ５１ａを有する灯具、６３は吊具を一例とする支持体、９０は支持体６３に設けたランプソケットに装着した白熱ランプである。すなわち、この照明器具は、天井面に格子状に蛍光ランプ５１ａの灯具５１が配置され、その交差点に白熱ランプ９０が配置されている。
【０００３】
図１８および図１９は、灯具５１と支持体６３との結合構造を示している。すなわち、灯具５１は、周面に透光部１０５を有する筒状であって両端に取付部５２を有する。また支持体６３は取付部５２を取付ける被取付部５３を有する。
取付部５２は、板部５５を有し、板部５５に開口５６の幅を内方よりも狭くした切欠穴５７を有する。また被取付部５３は、水平板部５５に重なる重ね部５８を有し、開口５６の幅よりも広幅に形成されて切欠穴５７に嵌合可能な突起部５９を重ね部５８に有し、さらに開口５６の幅よりも小さい外径を有して頭部が突起部５９と反対側に位置するように重ね部５８の突起部５９よりも先端寄りに貫通したつまみねじ６１を設け、このつまみねじ６１の先端に螺合された切欠穴５７よりも広幅のナット６０を設けている。
【０００４】
この照明器具は、図１８の矢印のように、板部５５の開口５６につまみねじ６１を通すとともに、ナット６０と突起部５９の間の隙間６２を板部５５に通して、突起部５９を切欠穴５７に嵌合する。これにより突起部５９を切欠穴５７に引掛け状態にし、つまみねじ６１をねじ込んでナット６０を図１９の想像線から実線のように下降して突起部５９に回転しないように係止するとともに板部５５に締めつけて結合している。
【０００５】
【発明が解決しようとする課題】
しかし、この照明器具は、突起５９とナット６０の間にすき間６２を設けるためにつまみねじ６１を持ち上げる必要があり、そのためナット６０を締めつけるときはつまみねじ６１を下に引張りながら回さないとナット６０が空転してしまい、取付作業性が悪くなるという欠点があった。
【０００６】
したがって、この発明の目的は、周面に透光部を有する筒状であって両端に取付部を有する灯具と、取付部を取付ける被取付部を有する支持体とを備えた照明器具において、取付作業を容易にすることができる照明器具を提供することである。
【０００７】
【課題を解決するための手段】
請求項１の照明器具は、周面に透光部を有する筒状であって両端に取付部を有する灯具と、前記取付部を取付ける被取付部を有する支持体とを備え、
前記取付部は、板部を有し、開口の幅を内方よりも狭くした切欠穴を前記板部に有するものであり、
前記被取付部は、前記板部に重なる重ね部を有し、前記開口の幅よりも広幅に形成されて前記切欠穴に嵌合可能な突起部を前記重ね部に有し、前記突起部に前記開口の幅よりも狭い細幅部を有し、前記突起部の前記細幅部よりも先端側にナット当たり部を有し、さらに前記開口の幅よりも小さい外径を有して頭部が前記突起部と反対側に位置するように前記重ね部の前記突起部よりも先端寄りの位置に貫通したつまみねじを設け、このつまみねじの先端に螺合された前記切欠穴よりも広幅のナットを設けたものである。
【０００８】
請求項１の照明器具によれば、つまみねじおよび突起部の細幅部を切欠穴の開口に通し、つまみねじを回してナットを締めつけることにより重ね部を板部に固定する。
この場合、ナットを突起部の細幅部よりもナット当たり部側に移動して、細幅部とともに切欠穴の開口に挿通するが、ナットを締めつける際にナットがナット当たり部に係止するのでナットの空転を防止することができる。このため取付け作業を容易にすることができる。
【００１３】
【発明の実施の形態】
この発明の第１の実施の形態を図１ないし図３により説明する。すなわち、この照明器具は、灯具１と、支持体２とを有する。
灯具１は、周面に透光部（図示せず）を有する筒状であって、両端に取付部３を有する。取付部３は、水平な板部４を有し、この板部４に開口５の開口幅を内方よりも狭くした切欠穴６を有する。
【００１４】
支持体２は、取付部３を受ける被取付部７を有する。被取付部７は、板部４に重なる重ね部８を有し、開口５の幅よりも広幅に形成されて切欠穴６に嵌合可能な突起部９を重ね部８に有し、突起部９に開口５の幅よりも狭い細幅部１０を有し、突起部９の細幅部１０よりも先端側にナット当たり部１３を有する。さらに開口５の幅よりも小さい外径を有して頭部が突起部９と反対側に位置するように重ね部８の突起部９よりも先端寄りの位置につまみねじ１２を貫通し、このつまみねじ１２の先端に、切欠穴６よりも広幅のナット１１を螺合している。
【００１５】
実施の形態において、突起部９は重ね部８に切起しにより形成されている。ナット当たり部１３は開口５の幅よりも広い幅に形成している。ナット１１は切欠穴６を閉塞する大きさに形成している。つまみねじ１２は重ね部８に形成した孔８ａに挿通されている。
図２は、つまみねじ１２を持ち上げてナット１１を浮かした状態でナット１１の下側のつまみねじ１２の部分を開口５に通しさらに突起部９の細幅部１０を開口５に通した状態である。
【００１６】
図３は、突起部９を切欠穴６に位置し、つまみねじ１２を回し、ナット１１をナット当たり部１３に当てて回り止めした状態で締付け、突起部９を切欠穴６に嵌合するとともに、ナット１１を板部４の上面に係止している。
この実施の形態によれば、つまみねじ１２および突起部９の細幅部１０を切欠穴６の開口５に通し、つまみねじ１２を回してナット１１を締めつけることにより重ね部８を板部４に固定する。
【００１７】
この場合、ナット１１を突起部９の細幅部１０よりもナット当たり部１３側に移動して、細幅部１０とともに切欠穴６の開口５に挿通するが、ナット１１を締めつける際にナット１１がナット当たり部１３に係止するのでナット１１の空転を防止することができる。このため取付け作業を容易にすることができる。
また、細幅部１０よりも広幅のナット当たり部１３をガイドにして開口５に細幅部１０を挿入しやすくでき、さらにナット当たり部１３よりも高くナット１１を位置する必要がないので、つまみねじ１２のねじ部を長くする必要がなく、締付けストロークを短くすることができる。
【００１８】
この発明の第２の実施の形態を図４ないし図６に示す。すなわち、この照明器具は、灯具（図示せず）が周面に透光部を有する筒状であって両端に取付部を有する。また支持体２は、その取付部を受ける被取付部７′を有するものであり、吊りパイプを実施の形態とする取付部材１４と、この取付部材１４に取付けられた上カバー１５と、孔を実施の形態とする被取付部７′を有するとともに、中心に対して対称位置に一対のスリット１６を有し、かつ一対のスリット１６の内側縁部に突起１７を有して、上カバー１５を介して取付部材１４に取付けられた取付板１８と、突起１７と反対側からスリット１６を通して突起１７に弾性により引っ掛ける引掛爪１９を屈曲した略Ｕ字形の引掛具２０と、この引掛具２０の下端の中央に取付けられた下カバー２１とからなる。
【００１９】
取付部材１４は下端部にねじ２４を形成し、上カバー１５および取付板１８は貫通孔２５，２６を有してねじ２４に通し、ねじ２４にナット（図示せず）を螺合して締付け固定している。引掛具２０は金具を用い、図５に示すように取付ける。すなわち、図５（ａ）は引掛具２０をスリット１６に臨ませている。このとき、引掛爪１９の中間部が一対のスリット１６の内側縁部に当接する程度に引掛具２０の開き寸法を設定している。図５（ｂ）は引掛爪１９をスリット１６に通して引掛爪１９を突起１７に係合した仮固定状態である。このとき、引掛具２０が外に開くように弾性変形し、復元作用により引掛爪１９が突起１７に係合する。図５（ｃ）は引掛具２０の下端部にねじ孔２２を形成し、下カバー２１の中央にねじ孔２２に整合する挿通孔２３を形成し、つまみねじ１０５を挿通孔２３に通しねじ孔２２にねじ込んだ状態である。このとき、下カバー２１の重量および下カバー２１の周縁部が上カバー１５に当たることによる下カバー２１に加わる下方の力により、引掛具２０の両側片が図５（ｃ）のように凸に屈曲するように弾性変形し、そのため引掛爪１９は引っ掛かる方向に傾き、確実に下カバー２１を保持する。
【００２０】
図７および図８は取付部材１４の天井取付部の構造を示している。すなわち、天井１０７に逆Ｕ字形の取付板１０８を設け、その側面に引掛スリット（図示せず）を形成している。一方取付部材１４の上端部に横ピン２７を貫設し、引掛スリットに係止する爪１０９ａを設けたＵ字形の金属製の固定具１０９の中央に円筒状の筒部２８を形成し、筒部２８の上端に横ピン２７が嵌まる複数の深さの異なるＵ溝１１０を形成している。これにより取付部材１４の高さを調節することが可能となる。２９はフランジである。
【００２１】
図１０は取付部材１４の天井取付部の他の実施の形態であり、筒部２８の上端を螺旋形状に形成し、その螺旋形状にのこ歯状の凹凸１１０ａを形成しており、横ピン２７が凹凸部１１０ａの凹部に係止したときの高さを異ならせている。その他は図８と同様である。
この実施の形態によれば、支持体２の取付部材１４に上カバー１５および取付板１８を取付け、引掛具２０の両端の引掛爪１９を取付板１８のスリット１６に押し込んで、取付板１８の突起１７に弾性係止し、この引掛具２０の下端部に下カバー２１を取付ける。
【００２２】
この場合、引掛具２０の引掛爪１９をスリット１６に押し込むことにより引掛爪１９を容易かつ確実に突起に弾性係止することができるので取付作業を容易にすることができるとともに、引掛具２０の取外しも容易になる。
この点、従来例は図２０（ａ）（ｂ）に示すように、上カバーと下カバーの中心部にスペースが必要であるため、図２０（ａ）の従来例の場合は、上カバー７０に逆Ｕ字形の連結具７１を取付け、下カバー７４に取付具７２を取付け、取付具７２を連結具７１に一対のねじ７３により取付けている。図２０（ｂ）の従来例の場合は、略Ｕ字形の連結具７１′の上端を一対のねじ７３ａで上カバー７０に取付け、下端につまみねじ７３ｂで下カバー７４を取付けている。
【００２３】
これらの従来例は図２０（ａ）が２点でビス止めする必要があり、図２０（ｂ）が３点でビス止めする必要があるため、組立作業性が悪かった。
またこの実施の形態では、図７および図８の構成により、取付部材１４の横ピン２７を引っ掛けるＵ溝１１０を変えることで、取付部材１４の取付け高さを簡単に微調整することができる効果がある。この点従来は、図２１および図２２R>２に示すように、取付板１０８および固定具１０９自体の構成は同じであるが、取付部材１４の上端部にねじ８２を形成し、固定具１０９にねじ８２を挿通する挿通孔を形成し、ねじ８２に螺合する一対のナット８０，８１により固定具１０９を固定しており、高さ調整は図２２（ｂ）に示すようにナット８０，８１を緩め、図２２（ａ）のようにねじ８２上を移動し、再度ナット８０，８１を締付けることにより行っていた。このため、取付部材１４の高さ調整が容易にできなかった。
【００２４】
この発明の第３の実施の形態を図１１ないし図１３に示す。すなわち、この照明器具は、灯具１が周面に透光部４０を有する筒状であって両端に取付部（図示せず）を有する。支持体（図示せず）は取付部を受ける被取付部を有する。そして、灯具１は両側に連結部３０を有する平板状の部品取付部３１と、連結部３０に着脱自在に連結される被連結部３２を有して透光部４０のある筒状の外形を形成する一対の外殻部材３３からなっている。
【００２５】
実施の形態では、部品取付部３１の上面には安定器３４が取付けられ、下面にはランプソケット３５が取付けられ、蛍光ランプ３５ａを装着している。また連結部３０は両側が内向きに折返されて凹部３７のある係止部３６を設けている。また外殻部材３３は断面円弧状であり、被連結部３２は凹部３７に係合する爪を実施の形態としており、また外殻部材３３の一側に透光カバー受け突部３８を設け、透光カバー受け突部３８に透光カバーを実施の形態とする透光部４０の両側の凹部４１を弾性係止し、外殻部材３３の他側に被覆部材３９を弾性爪で係止している。
【００２６】
４２は吊具、４３は外殻部材３３の両端に嵌合したリングである。
この実施の形態によれば、平板状の部品取付部材３１に安定器３３やランプソケット３５等の部品を取付けた後外殻部材３３の被連結部３２を部品取付部材３１の連結部３０に連結し、灯具１を形成する。
この場合、部品取付部材３１と外殻部材３３を一体に形成したものと比較して、部品取付部材３１の端部から部品を挿入して取付ける必要がないので、部品取付けが容易になり、組立作業性が向上する。また部品取付部材３１と外殻部材３３とを分割することにより容積が小さくなるので部品保管がしやすくなる。
【００２７】
この点、従来例は、図２３ないし図２５に示すように、部品取付部材９５と外殻部材９６とを一体に形成しており、図２５に示すように安定器９７は灯具９８の長手方向の端部からスライドして挿入する必要があったため、組立作業性が悪い欠点があった。なお、９９はランプソケット、１００は被覆部材、１０１は透光部である。
【００２８】
この発明の第４の実施の形態を図１４ないし図１６に示す。すなわち、この照明器具は、第３の実施の形態において、部品取付部材３１は中央に開口穴４５を有し、蛍光ランプ３５ａを開口穴４５に位置するようにランプソケット３５を配置し、外殻部材３３により形成される上下方向の透光部４６ａ，４６ｂより光を外部に照射している。また連結部３０を横Ｔ字形に形成し、被連結部３２を複数周方向に形成し、各被連結部３２は連結部３０を長手方向の端部からスライド自在に嵌合する溝４４により形成している。
【００２９】
図１６（ａ）は上側の透光部４６ａを閉じて下向きの透光部４６ｂのみを開いて矢印の方向に光を照射するベースライト使用であり、同図（ｂ）は反対に下側の透光部４６ｂを閉じ、上向きの透光部４６ａのみを開いて矢印の方向に光を照射するアッパーライト使用であり、同図（ｃ）は、上下両方に透光部４６ａ，４６ｂを形成して光を矢印の方向に照射する兼用タイプである。
【００３０】
この実施の形態によれば、被連結部３２を複数設けたため、連結部３０に連結される被連結部３２によって外殻部材３３により形成される透光部４６ａ，４６ｂの幅が変化するので配光の変更ができレイアウトの変更が可能となる。このため店舗等のレイアウトの変更時に器具を変えずに照明のタイプを変えることができる。その他は第３の実施の形態と同様である。
【００３１】
【発明の効果】
請求項１の照明器具によれば、ナットを突起部の細幅部よりもナット当たり部側に移動して、細幅部とともに切欠穴の開口に挿通するが、ナットを締めつける際にナットがナット当たり部に係止するのでナットの空転を防止することができる。このため取付け作業を容易にすることができる。
【００３２】
請求項２の照明器具によれば、引掛具の引掛爪をスリットに押し込むことにより引掛爪を容易かつ確実に突起に弾性係止することができるので取付作業を容易にすることができるとともに、引掛具の取外しも容易になる。
請求項３の照明器具によれば、部品取付部材と外殻部材を一体に形成したものと比較して、部品取付部材の端部から部品を挿入して取付ける必要がないので、部品取付けが容易になり、組立作業性が向上する。また部品取付部材と外殻部材とを分割することにより容積が小さくなるので部品保管がしやすくなる。さらに被連結部を複数設けると、連結部に連結される被連結部によって外殻部材により形成される透光部の幅が変化するので、レイアウトの変更が可能となる。
【図面の簡単な説明】
【図１】この発明の第１の実施の形態の部分分解斜視図である。
【図２】突起部の細幅部を切欠穴の開口に挿入した状態の部分斜視図である。
【図３】突起部を切欠穴に嵌合しつまみねじを締付けた状態の部分斜視図である。
【図４】第２の実施の形態の部分分解斜視図である。
【図５】引掛具の動作を説明する動作説明図である。
【図６】支持体の外観斜視図である。
【図７】支持体の取付部材の上端部の天井取付構造を示す断面図である。
【図８】その部分斜視図である。
【図９】取付部材の斜視図である。
【図１０】取付部材の取付構造の変形例の部分斜視図である。
【図１１】第３の実施の形態の灯具の断面図である。
【図１２】その分解断面図である。
【図１３】灯具の外観斜視図である。
【図１４】第４の実施の形態の灯具の一部破断斜視図である。
【図１５】灯具の分解断面図である。
【図１６】灯具のレイアウト変更の態様を説明する説明図である。
【図１７】照明器具の天井取付け状態の外観斜視図である。
【図１８】従来例の灯具と支持体との結合を説明する部分分解斜視図である。
【図１９】その結合状態の部分斜視図である。
【図２０】（ａ），（ｂ）ともに従来例の支持体の分解斜視図である。
【図２１】従来例の天井取付構造の断面図である。
【図２２】その取付部材の高さ変更を説明する説明図である。
【図２３】従来例の灯具の断面図である。
【図２４】その安定器を挿入した状態の断面図である。
【図２５】安定器を挿入する過程を示す部分斜視図である。
【符号の説明】
１ 灯具
２ 支持体
３ 取付部
４ 板部
５ 開口
６ 切欠穴
７ 被取付部
８ 重ね部
９ 突起部
１０ 細幅部
１１ ナット
１２ つまみねじ
１３ ナット当たり部
１４ 取付部材
１５ 上カバー
１６ スリット
１７ 突起
１８ 取付板
１９ 引掛爪
２０ 引掛具
２１ 下カバー
２２ ねじ孔
２３ 挿通孔
２４ ねじ
３０ 連結部
３１ 部品取付部
３２ 被連結部
３３ 外殻部材
４０ 透光部
４６ａ，４６ｂ 透光部
【図１】
0003735906.tif 000002
【図２】
0003735906.tif 000003
【図３】
0003735906.tif 000004
【図４】
0003735906.tif 000005
【図５】
0003735906.tif 000006
【図６】
0003735906.tif 000007
【図７】
0003735906.tif 000008
【図８】
0003735906.tif 000009
【図９】
0003735906.tif 000010
【図１０】
0003735906.tif 000011
【図１１】
0003735906.tif 000012
【図１２】
0003735906.tif 000013
【図１３】
0003735906.tif 000014
【図１４】
0003735906.tif 000015
【図１５】
0003735906.tif 000016
【図１６】
0003735906.tif 000017
【図１７】
0003735906.tif 000018
【図１８】
0003735906.tif 000019
【図１９】
0003735906.tif 000020
【図２０】
0003735906.tif 000021
【図２１】
0003735906.tif 000022
【図２２】
0003735906.tif 000023
【図２３】
0003735906.tif 000024
【図２４】
0003735906.tif 000025
【図２５】
0003735906.tif 000026